(57)【要約】      （修正有）【課題】直視式かつ薄型のディスプレイでめがねを使用して立体視を得る方式はそれぞれ欠点がある。【解決手段】１．バックライトと２枚のゲストホスト型液晶セルでディスプレイを構成し、左右の画像をそれぞれ独立に液晶セルに表示し、左右の画像を互いに直交する左右の偏光めがねで分離して立体視を得る。２．上記ディスプレイの表面に１／４波長板を張り、左右の画像をそれぞれ逆方向の円偏光とし、左右の画像を左右逆方向の円偏光めがねで分離して立体視を得る。【選択図】図１
2010134394.tif 000002
【特許請求の範囲】
【請求項１】
バックライトと２枚のＧＨ（Ｇｕｅｓｔ  Ｈｏｓｔ）型液晶セルを重ねてディスプレイを形成し、これらのＧＨ液晶セルの一方に左画像、一方に右画像を表示し、その偏光軸を互いに直交させ、これを互いに直交する左右の偏光めがねで左右画像を分離して立体視を得る立体視ディスプレイ。
【請求項２】
後面のＧＨ液晶セルに画像を表示し前面のＧＨ液晶セルを偏光板として用い一般画像表示を可能にした上記立体視ディスプレイ。
【請求項３】
上記ディスプレイの表面に１／４波長板を置き左旋および右旋の円偏光に変換し、これを一方が左旋、一方が右旋の円偏光めがねを用いて立体視を得る立体視ディスプレイ。
【発明の詳細な説明】
【発明の詳細な説明】
【技術分野】
【０００１】  本発明は２枚重ねのＧＨ液晶セルと偏光めがねを用いた立体視ディスプレイに関する。
【背景技術】
【０００２】  直視式かつ薄型のディスプレイでめがねを使用して立体視を得る方式に次のようなものがある。
１．ディスプレイ画像の偶数ラインと奇数ラインにそれぞれ互いに直交する偏光板を張り合わせ、左右が互いに直交する偏光めがねを使用する方式
１’．上記画像の出射光を互いに逆方向の円偏光とし、左右が逆方向の円偏光めがねを使用する方式
２．プラズマ・ディスプレイとシャッターめがねを使用する方式
３．液晶表示板とシャッターめがねを使用する方式
４．バックライト、ＴＮ液晶表示板、ＴＮ液晶セルを重ねてディスプレイを構成し、偏光めがねを用いて立体視するｉＺ３Ｄ方式
【発明が解決しようとする課題】
【０００３】１、１’の方式：垂直解像度が半分に減る。見る位置を上下させるとゴーストが発生する。
２の方式：大型、多人数用。コンピュータ用ディスプレイとしては画素の大きさから適さない。ゴーストも若干残る。
３の方式：液晶の応答速度が遅いのでゴーストが目立つ。
４の方式：ゴースト、着色現象、斜めから見たときの画質劣化、ぼけ、コントラスト劣化、輪郭効果など欠点が多い。
【課題を解決するための手段】
【０００４】  本発明はかかる課題に鑑みなされたものであって、以下の構成によって上記の方式の持つ課題を一挙に解決する。
１．バックライトと２枚のゲストホスト型液晶セルでディスプレイを構成し、左右の画像をそれぞれ独立に液晶セルに表示し、左右の画像を互いに直交する左右の偏光めがねで分離して立体視を得る。
２．上記ディスプレイの表面に１／４波長板を張り、左右の画像をそれぞれ逆方向の円偏光とし、左右の画像を左右逆方向の円偏光めがねで分離して立体視を得る。
【発明を実施するための最良の形態】
【０００５】  図１は本発明の概略図である。構成はバックライト（１）、後面ＧＨ液晶セル（２）、モアレ防止拡散板（３）、前面ＧＨ液晶セル（４）そして偏光めがね（５）からなる。ＧＨ液晶セルの偏光軸は前面と後面で直交させる。図では一例として後面ＧＨ液晶セルの偏光軸を＋４５°とし、ここに右画像を表示する。前面ＧＨ液晶セルは偏光軸を−４５°とし、左画像を表示する。偏光めがね右（５Ｒ）は偏光軸が右画像と直交しており画像を可視化するが、左画像は偏光軸が平行のため透明で画像として可視化されない。偏光めがね左（５Ｌ）も同様に左画像のみ可視化する。【０００６】  より具体的に図２を用いて説明する。例として黒い背景に白い円盤を画面手前に表示した場合を想定する。後面ＧＨ液晶セルに右画像（２Ｒ）を表示したとき円盤以外は偏光軸（２Ｐ）は＋４５°を示す。円盤の部分は二色性色素が面に対し垂直になっており偏光を示さない。前面ＧＨ液晶セルには左画像（４Ｌ）を表示する。円盤以外は偏光軸（４Ｐ）が−４５°、円盤は無偏光である。これらの絵を左右の偏光めがねを通して見るとその偏光軸（５Ｌ’、５Ｒ’）と直交する画像が可視化されるから左眼画像（６Ｌ）、右眼画像（６Ｒ）を得る。【０００７】  図３は本発明を発展させた構成である。すなわちディスプレイからの出射光を直交する直線偏光ではなく左旋および右旋の円偏光にしたものである。上に記したディスプレイの表面に１／４波長板を偏光軸と遅相軸の角度を４５°にして貼り合わせると、左画像、右画像の直線偏光はそれぞれ左旋円偏光（８Ｌ）と右旋円偏光（８Ｒ）に変換される。【０００８】  これらの円偏光を円偏光めがねで左右画像に分離、立体視するわけであるが、ここで円偏光めがねについて説明する。左右の円偏光板は１／４波長板と直線偏光板を偏光軸と遅相軸の角度を４５°にして貼り合わせたものである。左画像の左旋円偏光（８Ｌ）は１／４波長板（９ａ）を通過すると直線偏光に変換され偏光板（９ｃ）と直交して可視化される。右画像の右旋円偏光（８Ｒ）はそのまま通過し可視化されない。右画像の右旋円偏光（８Ｒ）は同様にして右の円偏光板（９ｂ、９ｄ）で可視化される。本方式は顔を傾けても左右画像の分離に影響がないためゴーストの発生がなく使いやすい。【０００９】  ＧＨ型液晶はネマティック液晶などに二色性色素を例えば２パーセント程度混入したものである。細長い液晶分子と細長い二色性色素分子は平行に並ぶと考えられ、従って液晶分子と同じ動きをすると期待される。図４はＧＨ液晶における二色性色素の動きを表示したものである。二色性色素が配向方向に向きを揃え電極面に平行の時（無電界時）偏光を示すが垂直（電界印加時）になるに従い無偏光になる。ＯＣＢ（Ｏｐｔｉｃａｌｌｙ  Ｃｏｍｐｅｎｓａｔｅｄ  Ｂｅｎｄ）液晶は電圧のＯＮ，ＯＦＦに対しベンド構造と垂直構造をとり、応答速度が速い。一般に液晶に色素を混入すると粘度が上がり応答速度が遅くなるが、早い応答速度を持つ液晶および構造との組み合わせで問題克服が期待される。【００１０】  カラー表示方式は従来のカラー液晶表示板で一般に用いられる方式すなわちＲＧＢカラー・フィルター、ＴＦＴ駆動などを採用する。ＧＨ液晶に用いる二色性色素は黒��でなければならない。
【発明の効果】
【００１１】  本発明は以下の効果を生み出す。
１．薄型直視式でめがねを用いる立体視方式の中で欠点が少ない。
２．めがね無しで一般画像表示装置として利用できる。
３．２枚の液晶セルに独立に左右の絵を表示するので垂直解像度は劣化しない。
４．円偏光めがねをつかう方式は顔の傾きによってゴーストが発生しない。
５．ＬＣＤ、シャッターめがね式が持つゴーストの問題はない。
６．ｉＺ３Ｄ方式の持つ演算回路を必要とせず、それに伴う問題も発生しない。
７．液晶素材および駆動法としてＯＣＢ液晶技術を使うことによりＧＨ型といえども実用的な応答速度を確保できる。
【図面の簡単な説明】
【図１】  ＧＨ液晶を用いた立体視方式の構成（１）
【図２】  画面手前に表示した円盤
【図３】  ＧＨ液晶を用いた立体視方式の構成（２）
【図４】  ＧＨ液晶における二色性色素の動き
【符号の説明】
１．バックライト
２．後面ＧＨ液晶セル
２Ｒ．後面ＧＨ液晶セルに表示した右画像
２Ｐ．偏光軸（＋４５°）
３．モアレ防止拡散板
４．前面ＧＨ液晶セル
４Ｌ．前面ＧＨ液晶セルに表示した左画像
４Ｐ．偏光軸（−４５°）
５．偏光めがね
５Ｌ．左
５Ｒ．右
６Ｌ．左眼画像
６Ｒ．右眼画像
７．１／４波長板
８Ｌ．左旋円偏光（左画像）
８Ｒ．右旋円偏光（右画像）
９．円偏光めがね
９ａ．１／４波長板
９ｂ．１／４波長板
９ｃ．偏光板（−４５°）
９ｄ．偏光板（＋４５°）
１０．電極
１１．配向膜
１２．二色性色素
【図１】
2010134394.tif 000003
【図２】
2010134394.tif 000004
【図３】
2010134394.tif 000005
【図４】
2010134394.tif 000006